(57)【要約】【課題】簡単な操作及び処理によって、複数の端末にてそれぞれ保持しているコンテンツから任意のコンテンツを選択再生可能にする。【解決手段】複数の携帯端末２１０〜２４０から送信されたコンテンツを再生可能な再生装置として機能するＤＭＲ１００Ａは、携帯端末２１０〜２４０から受信したコンテンツの情報を含む予約リスト１５０を生成し、予約リスト１５０を通信可能な複数の携帯端末２１０〜２４０に対して送信する。携帯端末２１０〜２４０では、ＤＭＲ１００Ａから受信した予約リスト１５０を表示し、使用者の操作により予約リスト１５０から選択されたコンテンツ（動画（ｃ））を、該当するコンテンツを保持する携帯端末２３０（端末Ｃ）より取得し再生する。【選択図】図１
2014014003.tif 000002
【特許請求の範囲】
【請求項１】
コンテンツを保持する端末と、複数の前記端末から送信されたコンテンツを再生可能な再生装置とを有するコンテンツ再生システムであって、
前記再生装置は、
前記端末から受信したコンテンツの情報を含むコンテンツリストを生成するリスト生成部と、
前記コンテンツリストを、通信可能な複数の端末に対して送信するリスト送信部と、を備え、
前記端末は、
前記再生装置から受信したコンテンツリストを表示するリスト表示部と、
前記コンテンツリストから選択されたコンテンツを、該当するコンテンツを保持する端末または前記再生装置より取得し再生するコンテンツ取得部と、を備える、
コンテンツ再生システム。
【請求項２】
請求項１に記載のコンテンツ再生システムであって、
前記リスト生成部は、前記端末から送信されたコンテンツを受信した場合に、所定タイミングで前記コンテンツリストを生成する、コンテンツ再生システム。
【請求項３】
請求項１または２に記載のコンテンツ再生システムであって、
前記リスト生成部は、前記端末から送信されたコンテンツを受信する度に、前記コンテンツリストを生成または更新する、コンテンツ再生システム。
【請求項４】
請求項１から３のいずれか一項に記載のコンテンツ再生システムであって、
前記リスト送信部は、通信可能な端末が新たに接続された場合に、前記新規接続された端末に対してコンテンツリストを送信する、コンテンツ再生システム。
【請求項５】
請求項１から３のいずれか一項に記載のコンテンツ再生システムであって、
再生装置と通信可能な端末が新たに接続された場合に、
前記リスト生成部は、前記コンテンツリストを更新し、
前記リスト送信部は、前記更新されたコンテンツリストを前記新規接続された端末に対して送信する、コンテンツ再生システム。
【請求項６】
請求項１から３のいずれか一項に記載のコンテンツ再生システムであって、
再生装置と通信可能な端末の接続が解除された場合に、
前記リスト生成部は、前記コンテンツリストを更新し、
前記リスト送信部は、前記更新されたコンテンツリストを他の通信可能な少なくとも一つの端末に対して送信する、コンテンツ再生システム。
【請求項７】
請求項１から３のいずれか一項に記載のコンテンツ再生システムであって、
前記再生装置は、
前記端末から受信したコンテンツを再生するコンテンツ再生部を有し、
前記コンテンツ再生部は、複数の前記端末において、所定数以上の端末にて特定のコンテンツが再生されている場合に、再生端末数が所定数以上である前記特定のコンテンツを再生する、コンテンツ再生システム。
【請求項８】
請求項７に記載のコンテンツ再生システムであって、
前記コンテンツ再生部は、複数の前記端末において、過半数の端末にて特定のコンテンツが再生されている場合に、再生中のコンテンツを前記特定のコンテンツに切り替える、コンテンツ再生システム。
【請求項９】
請求項１から６のいずれか一項に記載のコンテンツ再生システムであって、
前記リスト生成部は、前記コンテンツリストとして、コンテンツの一覧情報を随時更新した状態としたリアルタイムリストを生成または更新する、コンテンツ再生システム。
【請求項１０】
請求項１から６のいずれか一項に記載のコンテンツ再生システムであって、
前記リスト生成部は、前記コンテンツリストとして、コンテンツの撮影時間が一致するように再生時間を同期させた撮影時刻同期リストを生成または更新する、コンテンツ再生システム。
【請求項１１】
端末から送信されたコンテンツを再生可能な再生装置であって、
前記端末から受信したコンテンツを再生するコンテンツ再生部と、
前記端末から受信したコンテンツの情報を含むコンテンツリストを生成するリスト生成部と、
前記コンテンツリストを、通信可能な複数の端末に対して送信し、送信先の端末においてコンテンツの選択を可能とするリスト送信部と、
を備える再生装置。
【請求項１２】
端末から送信されたコンテンツを再生可能な再生装置におけるコンテンツ再生方法であって、
前記端末から受信したコンテンツを再生するステップと、
前記端末から受信したコンテンツの情報を含むコンテンツリストを生成するステップと、
前記コンテンツリストを、通信可能な複数の端末に対して送信し、送信先の端末においてコンテンツの選択を可能とするステップと、
を有するコンテンツ再生方法。
【発明の詳細な説明】
【技術分野】
【０００１】
本開示は、複数の端末にてそれぞれ保持しているコンテンツから任意のコンテンツを選択再生するコンテンツ再生システム、再生装置、及びコンテンツ再生方法に関する。
【背景技術】
【０００２】
例えば携帯端末などの端末に保持している動画または静止画のコンテンツをＴＶモニタ等の表示装置に転送し、大きな画面に表示して視聴できるコンテンツ再生システムがある。この種のコンテンツ再生システムの例として、ＤＬＮＡ（Digital Living Network Alliance）（登録商標、以下同様）の仕様に準拠したシステムがある。
【０００３】
ここで、携帯端末またはカメラにて撮影した動画または静止画のコンテンツを複数人で視聴する場合を想定する。この場合、携帯端末などの端末から、ＤＬＮＡのＤＭＲ（Digital Media Renderer）として機能するＴＶモニタにコンテンツをＰＵＳＨ機能にて転送し、ＴＶモニタの表示画面に再生表示する。これにより、複数の人によって大きな表示画面上のコンテンツを視聴し、共有することが可能である。このとき、各々の人が持っている端末からコンテンツをＰＵＳＨ転送すると、それぞれの人が撮影したコンテンツを皆で順に視聴することができる。
【先行技術文献】
【非特許文献】
【０００４】
【非特許文献１】DLNA Guidelines Ver 1.5
【発明の概要】
【発明が解決しようとする課題】
【０００５】
ＤＬＮＡのシステムでは、ＤＭＲに複数端末から連続してコンテンツをＰＵＳＨ転送した場合、ＤＭＲにおけるコンテンツ再生は、後勝ちまたは先勝ちになる。つまり、一番最後または最初に転送されたコンテンツだけがＤＭＲにて再生される。このため、１つのＤＭＲに対して、複数の端末からそれぞれコンテンツを転送して、所望の複数のコンテンツを同時に再生表示して視聴することができない。また、ＤＭＲに再生表示されたコンテンツを視聴しながら、他のコンテンツを自分の端末にて視聴するためには、目的のコンテンツを保持している端末にそれぞれアクセスしてコンテンツを検索、取得する必要があり、操作及び処理に多くの手間がかかるという課題が生じる。このように、従来では、コンテンツをそれぞれ保持した複数の端末が存在するシステムにおいて、簡単に複数のコンテンツを共有する、あるいは同時に視聴することができなかった。
【０００６】
本開示は、簡単な操作及び処理によって、複数の端末にてそれぞれ保持しているコンテンツから任意のコンテンツを選択再生することが可能なコンテンツ再生システム、再生装置、及びコンテンツ再生方法を提供する。
【課題を解決するための手段】
【０００７】
本開示は、コンテンツを保持する端末と、複数の前記端末から送信されたコンテンツを再生可能な再生装置とを有するコンテンツ再生システムであって、前記再生装置は、前記端末から受信したコンテンツの情報を含むコンテンツリストを生成するリスト生成部と、前記コンテンツリストを、通信可能な複数の端末に対して送信するリスト送信部と、を備え、前記端末は、前記再生装置から受信したコンテンツリストを表示するリスト表示部と、前記コンテンツリストから選択されたコンテンツを、該当するコンテンツを保持する端末または前記再生装置より取得し再生するコンテンツ取得部と、を備える、コンテンツ再生システムを提供する。
【０００８】
本開示は、端末から送信されたコンテンツを再生可能な再生装置であって、前記端末から受信したコンテンツを再生するコンテンツ再生部と、前記端末から受信したコンテンツの情報を含むコンテンツリストを生成するリスト生成部と、前記コンテンツリストを、通信可能な複数の端末に対して送信し、送信先の端末においてコンテンツの選択を可能とするリスト送信部と、を備える再生装置を提供する。
【０００９】
本開示は、端末から送信されたコンテンツを再生可能な再生装置におけるコンテンツ再生方法であって、前記端末から受信したコンテンツを再生するステップと、前記端末から受信したコンテンツの情報を含むコンテンツリストを生成するステップと、前記コンテンツリストを、通信可能な複数の端末に対して送信し、送信先の端末においてコンテンツの選択を可能とするステップと、を有するコンテンツ再生方法を提供する。
【発明の効果】
【００１０】
本開示によれば、簡単な操作及び処理によって、複数の端末にてそれぞれ保持しているコンテンツから任意のコンテンツを選択再生することが可能なコンテンツ再生システム、再生装置、及びコンテンツ再生方法を提供できる。
【図面の簡単な説明】
【００１１】
【図１】第１の実施形態に係るコンテンツ再生システムの動作の概略を示す図
【図２】第１の実施形態に係るコンテンツ再生システムの構成を示すブロック図
【図３】本実施形態のコンテンツ再生システムにおける、予約リスト生成シーケンスの処理手順を示す図
【図４】本実施形態のコンテンツ再生システムにおける、予約リスト更新シーケンスの処理手順を示す図
【図５】予約リストのリアルタイムリストの具体例を示す図
【図６】予約リストの再生時刻同期リストの具体例を示す図
【図７】第２の実施形態に係るコンテンツ再生システムの動作の概略を示す図
【図８】第２の実施形態に係るコンテンツ再生システムの構成を示すブロック図
【図９】本実施形態のコンテンツ再生システムにおける、端末追加時のシーケンスの処理手順を示す図
【図１０】本実施形態のコンテンツ再生システムにおける、端末離脱時のシーケンスの処理手順を示す図
【図１１】第３の実施形態に係るコンテンツ再生システムの動作の概略を示す図
【図１２】第３の実施形態に係るコンテンツ再生システムの構成を示すブロック図
【図１３】本実施形態のコンテンツ再生システムにおける、過半数再生コンテンツ切替シーケンスの処理手順を示す図
【発明を実施するための形態】
【００１２】
以下の実施形態では、本開示に係るコンテンツ再生システム及びコンテンツ再生方法として、ＤＬＮＡの仕様に準拠したシステムにおいて、ＤＭＲとして機能する再生装置と複数の端末とが無線通信を行い、コンテンツの転送、再生を行う例を示す。再生装置としては、動画等のコンテンツの表示及び音声出力を行うＴＶモニタなどが用いられる。端末としては、携帯電話機、スマートフォン、タブレット端末等の無線通信機能を有する携帯端末などが用いられる。
【００１３】
（第１の実施形態）
図１は、第１の実施形態に係るコンテンツ再生システムの動作の概略を示す図である。第１の実施形態は、複数の携帯端末からそれぞれＴＶモニタ等によるＤＭＲとして機能する再生装置（以下、ＤＭＲと記載）にコンテンツを転送し、ＤＭＲにてコンテンツを再生表示する例である。
【００１４】
ＤＭＲ１００Ａと、携帯端末（端末Ａ）２１０、携帯端末（端末Ｂ）２２０、携帯端末（端末Ｃ）２３０、携帯端末（端末Ｄ）２４０とが、無線ネットワークを介して接続され、複数の携帯端末２１０〜２４０からコンテンツをＰＵＳＨ機能にて転送可能となっている。本実施形態では、コンテンツの例として、各携帯端末２１０〜２４０にて撮影した動画をＤＭＲ１００Ａに転送して表示する場合を想定する。各携帯端末２１０〜２４０の使用者（ユーザＡ、Ｂ、Ｃ、Ｄ）が、コンテンツ再生システムを利用するメンバーとなる。携帯端末２１０からは動画（ａ）、携帯端末２２０からは動画（ｂ）、携帯端末２３０からは動画（ｃ）、携帯端末２４０からは動画（ｄ）がそれぞれ転送される。
【００１５】
ＤＭＲ１００Ａは、それぞれの携帯端末２１０〜２４０から取得したコンテンツのデータを記憶部１０４に保持する。図示例では、動画（ａ）、動画（ｂ）、動画（ｃ）、動画（ｄ）のデータが記憶される。ＤＭＲ１００Ａは、保持したコンテンツのデータに対応して、コンテンツリストの一例である、各コンテンツの一覧情報を含む予約リスト１５０を作成し、携帯端末２１０〜２４０に送信する。
【００１６】
各携帯端末２１０〜２４０では、表示部に予約リスト１５０を表示し、使用者が予約リスト１５０の中から所望のコンテンツを選択可能にする。ここで、ＤＭＲ１００Ａでは動画（ａ）が再生されているものとし、他のコンテンツを携帯端末にて視聴したい場合を想定する。携帯端末の使用者が任意のコンテンツを選択すると（図示例では動画（ｃ）を選択）、対応するコンテンツを保持する携帯端末（図示例では携帯端末（端末Ｃ）２３０）にアクセスし、ＰＵＬＬ機能によって対象のコンテンツを取得して再生する。これにより、ＤＭＲ１００Ａにて再生されているコンテンツとは異なる他のコンテンツを、容易に携帯端末２１０〜２４０にて再生し視聴することが可能になる。また、複数の携帯端末の使用者が他の同じコンテンツを容易に共有することも可能である。
【００１７】
図２は、第１の実施形態に係るコンテンツ再生システムの構成を示すブロック図である。ＤＭＲ１００Ａと携帯端末２１０〜２４０とは、ネットワーク３００を介して接続され、コンテンツデータ、予約リストなどの送受信を行う。図示例では、携帯端末（端末Ａ）２１０と携帯端末（端末Ｃ）２３０を示している。
【００１８】
ＤＭＲ１００Ａは、ＤＬＮＡ処理部１０１、通信制御部１０２、受信コンテンツ保持部１０３、記憶部１０４、表示部１０５、予約リスト制御部１０６、予約リスト生成部１０７、予約リスト送信部１０８を有する。
【００１９】
ＤＬＮＡ処理部１０１は、ＤＬＮＡの仕様に関する各種処理を実行する。ＤＬＮＡ処理部１０１は、ＤＭＲ処理部１１１を有し、ＤＭＲ機能を実現する処理として、コンテンツの再生処理などを実行する。
【００２０】
通信制御部１０２は、無線ＬＡＮ等によるネットワーク３００と接続され、ネットワーク３００を介して携帯端末２１０〜２４０と通信を行う通信インタフェースを有し、コンテンツデータの受信、予約リストの送信等を行う。
【００２１】
受信コンテンツ保持部１０３は、フラッシュメモリ等の記憶素子を有し、通信制御部１０２にて受信され、ＤＬＮＡ処理部１０１のＤＭＲ処理部１１１にて処理された動画のコンテンツデータを保持する。記憶部１０４は、フラッシュメモリ等の記憶素子、またはハードディスクドライブ等の記憶装置を有し、コンテンツデータ、予約リストなどを記憶し保存する。表示部１０５は、液晶ディスプレイなどの表示装置を有し、受信コンテンツ保持部１０３より出力されたコンテンツデータを表示する。
【００２２】
予約リスト制御部１０６は、自装置に保持しているコンテンツの一覧情報を含む予約リストの生成、更新、送信の処理に関する制御を行う。予約リスト生成部１０７は、予約リスト制御部１０６の制御に従って、予約リストの生成処理、更新処理を実行する。予約リスト送信部１０８は、予約リスト制御部１０６の制御に従って、予約リストの送信処理を実行する。
【００２３】
予約リスト制御部１０６、予約リスト生成部１０７、及び予約リスト送信部１０８は、ＣＰＵ等のプロセッサ及びメモリを有する情報処理部（コンピュータ）により構成され、所定のプログラムを実行することにより、予約リスト関連の処理を実行する。
【００２４】
予約リスト生成部１０７は、リアルタイムリスト生成部１２１を有し、予約リストの一例としてコンテンツの一覧情報を随時更新した状態としたリアルタイムリストの生成または更新処理を実行する。また、予約リスト生成部１０７は、撮影時刻同期リスト生成部１２２を有し、予約リストの一例としてコンテンツの撮影時間が一致するように再生時間を同期させた撮影時刻同期リストの生成または更新処理を実行する。これらのリアルタイムリスト及び撮影時刻同期リストについては後述する。
【００２５】
上記構成において、ＤＬＮＡ処理部１０１、通信制御部１０２、受信コンテンツ保持部１０３、予約リスト制御部１０６、予約リスト生成部１０７、予約リスト送信部１０８は、ＣＰＵ等のプロセッサ及びメモリを有する情報処理部（コンピュータ）により構成され、所定のソフトウェアプログラムを実行することにより、各機能を実現する。ここで、予約リスト制御部１０６及び予約リスト生成部１０７が、コンテンツリストを生成するリスト生成部の機能を実現する。また、予約リスト制御部１０６及び予約リスト送信部１０８が、コンテンツリストを端末に送信するリスト送信部の機能を実現する。また、ＤＬＮＡ処理部１０１及び表示部１０５が、受信したコンテンツを再生するコンテンツ再生部の機能を実現する。
【００２６】
携帯端末（端末Ａ）２１０は、ＤＬＮＡ処理部２１１、通信制御部２１２、記憶部２１３、予約リスト受信部２１４、予約リスト表示部２１５、表示部２１６、コンテンツ再生処理部２１７を有する。図示例では、携帯端末２１０において、コンテンツデータのＰＵＳＨ送信、予約リストの受信、コンテンツデータのＰＵＬＬ受信を実行する機能について示している。なお、携帯端末（端末Ａ）２１０は、携帯端末（端末Ｃ）２３０と同様の機能を有していてもよい。
【００２７】
ＤＬＮＡ処理部２１１は、ＤＬＮＡの仕様に関する各種処理を実行する。ＤＬＮＡ処理部２１１は、ＰＵＳＨ処理部２７１を有し、ＰＵＳＨ機能を実現する処理として、コンテンツのＰＵＳＨ送信処理などを実行する。また、ＤＬＮＡ処理部２１１は、ＰＵＬＬ処理部２７２を有し、ＰＵＬＬ機能を実現する処理として、コンテンツのＰＵＬＬ受信処理、再生処理などを実行する。
【００２８】
通信制御部２１２は、無線ＬＡＮ等によるネットワーク３００と接続され、ネットワーク３００を介してＤＭＲ１００Ａ、携帯端末２２０〜２４０と通信を行う通信インタフェースを有し、コンテンツデータのＰＵＳＨ送信、予約リストの受信、コンテンツデータのＰＵＬＬ受信等を行う。
【００２９】
記憶部２１３は、フラッシュメモリ等の記憶素子を有し、携帯端末２１０にて撮影、取得したコンテンツデータなどを記憶し保存する。ＤＬＮＡ処理部２１１のＰＵＳＨ処理部２７１においてコンテンツのＰＵＳＨ送信処理を実行する場合、記憶部２１３は、対象のコンテンツデータをＰＵＳＨ処理部２７１に対して出力する。ＰＵＳＨ処理部２７１は、記憶部２１３から対象のコンテンツデータを読み出し、通信制御部２１２を介してＤＭＲ１００ＡにコンテンツデータをＰＵＳＨ機能にて送信する。
【００３０】
予約リスト受信部２１４は、ＤＭＲ１００Ａから送信された予約リストの受信処理を実行する。予約リスト表示部２１５は、受信した予約リストの表示部２１６への表示処理を実行する。表示部２１６は、液晶ディスプレイ、有機ＥＬ（Electro-Luminescence）ディスプレイなどの表示装置を有し、予約リスト表示部２１５より出力された予約リストの表示、取得したコンテンツの表示などを行う。
【００３１】
コンテンツ再生処理部２１７は、ＤＬＮＡ処理部２１１のＰＵＬＬ処理部２７２を制御し、予約リストの選択指示に応じたコンテンツの再生処理を実行する。この際、ＰＵＬＬ処理部２７２によって、対象コンテンツのＰＵＬＬ受信処理及び再生処理を実行させ、表示部２１６にコンテンツを表示させる。
【００３２】
上記構成において、ＤＬＮＡ処理部２１１、通信制御部２１２、予約リスト受信部２１４、予約リスト表示部２１５、コンテンツ再生処理部２１７は、ＣＰＵ等のプロセッサ及びメモリを有する情報処理部（コンピュータ）により構成され、所定のソフトウェアプログラムを実行することにより、各機能を実現する。ここで、予約リスト受信部２１４及び予約リスト表示部２１５が、コンテンツリストを表示するリスト表示部の機能を実現する。また、コンテンツ再生処理部２１７及びＤＬＮＡ処理部２１１のＰＵＬＬ処理部２７２が、コンテンツを取得し再生するコンテンツ取得部の機能を実現する。
【００３３】
携帯端末（端末Ｃ）２３０は、ＤＬＮＡ処理部２３１、通信制御部２３２、記憶部２３３を有する。図示例では、携帯端末２３０において、ＰＵＬＬ受信の要求に対するコンテンツデータの配信を実行する機能について示している。なお、携帯端末（端末Ｃ）２３０は、携帯端末（端末Ａ）２１０と同様の機能を有していてもよい。
【００３４】
ＤＬＮＡ処理部２３１は、ＤＬＮＡの仕様に関する各種処理を実行する。ＤＬＮＡ処理部２３１は、サーバ処理部２７３を有し、サーバ機能を実現する処理として、ＰＵＬＬ機能に対応するコンテンツの配信処理などを実行する。
【００３５】
通信制御部２３２は、無線ＬＡＮ等によるネットワーク３００と接続され、ネットワーク３００を介してＤＭＲ１００Ａ、携帯端末２１０、２２０、２４０と通信を行う通信インタフェースを有し、ＰＵＬＬ受信の要求に対するコンテンツデータの配信等を行う。
【００３６】
記憶部２３３は、フラッシュメモリ等の記憶素子を有し、携帯端末２３０にて撮影、取得したコンテンツデータなどを記憶し保存する。ＤＬＮＡ処理部２３１のサーバ処理部２７３においてＰＵＬＬ機能に対応するコンテンツの配信処理を実行する場合、記憶部２３３は、対象のコンテンツデータをサーバ処理部２７３に対して出力する。サーバ処理部２７３は、携帯端末２１０からＰＵＬＬ受信の要求を受けると、記憶部２３３から対象のコンテンツデータを読み出し、通信制御部２３２を介して携帯端末２１０にコンテンツデータを送信する。
【００３７】
上記構成において、ＤＬＮＡ処理部２３１、通信制御部２３２は、ＣＰＵ等のプロセッサ及びメモリを有する情報処理部（コンピュータ）により構成され、所定のソフトウェアプログラムを実行することにより、各機能を実現する。
【００３８】
図２の構成によるコンテンツ再生システムの動作について説明する。携帯端末（端末Ａ）２１０は、自装置にて撮影、取得した動画のコンテンツデータを、ＰＵＳＨ処理部２７１によりＤＭＲ１００ＡにＰＵＳＨ送信する。ＤＭＲ１００Ａは、ＰＵＳＨ送信されてきたコンテンツデータを、ＤＭＲ処理部１１１により受信し、受信コンテンツ保持部１０３により記憶部１０４に記憶させて保持する。また、受信コンテンツ保持部１０３にて保持したコンテンツデータを、表示部１０５に出力して表示する。これにより、携帯端末２１０の使用者を含むＤＭＲ１００Ａ周辺にいる人は、表示部１０５に表示された動画コンテンツを視聴できる。
【００３９】
ＤＭＲ１００Ａは、ＰＵＳＨ送信されてきたコンテンツデータを受信すると、予約リスト制御部１０６の制御により、予約リスト生成部１０７にてコンテンツの一覧情報を含む予約リストを生成する。以前に予約リストを生成している場合は、予約リスト生成部１０７によって、コンテンツデータの受信に伴い、予約リストを更新する。この際、予約リスト生成部１０７は、携帯端末からのコンテンツデータを受信した場合に、所定タイミングで予約リストを生成する。例えば、予約リスト生成部１０７は、携帯端末からのコンテンツを受信する度に、予約リストを生成または更新する。
【００４０】
ＤＭＲ１００Ａは、予約リストが生成または更新されると、予約リスト送信部１０８により、最新の予約リストを送信する。この際、予約リスト送信部１０８は、ネットワーク３００に接続されている携帯端末２１０等の複数の端末に対して予約リストをマルチキャスト配信にて送信する。
【００４１】
携帯端末２１０は、予約リスト受信部２１４にて予約リストを受信すると、予約リスト表示部２１５によって表示部２１６にて予約リストを表示する。携帯端末２１０は、予約リストの表示中に、予約リスト内の特定のコンテンツの選択指示を入力すると、コンテンツ再生処理部２１７により、選択指示されたコンテンツの再生処理を開始する。この場合、ＰＵＬＬ処理部２７２により、選択指示に対応するコンテンツを保持する携帯端末（図示例では携帯端末（端末Ｃ）２３０）に対して、ＰＵＬＬ機能によるコンテンツデータの取得要求を送信する。
【００４２】
コンテンツデータの取得要求を受信した携帯端末２３０は、サーバ処理部２７３により、該当するコンテンツデータを取得要求送信元の携帯端末２１０に配信する。
【００４３】
携帯端末２１０は、携帯端末２３０からコンテンツデータを受信すると、ＰＵＬＬ処理部２７２によって表示部２１６にてコンテンツを再生表示する。これにより、携帯端末２１０において、ＤＭＲ１００Ａに再生表示されているコンテンツとは別に、予約リストから所望のコンテンツを選択して取得し、自装置にて再生表示することができる。
【００４４】
図３は、本実施形態のコンテンツ再生システムにおける、予約リスト生成シーケンスの処理手順を示す図である。ここでは、上述したコンテンツ再生システムの動作における、予約リストの生成処理に関する具体的な手順の例を示す。
【００４５】
携帯端末（端末Ａ）２１０のＰＵＳＨ処理部２７１は、自端末からコンテンツデータをＰＵＳＨ送信する場合に、通信制御部２１２を介してＤＭＲ１００Ａに対して「SetAVTransportUri」を送信し、ＰＵＳＨ送信の開始を通知する（Ｓ１０１）。
【００４６】
ＤＭＲ１００ＡのＤＭＲ処理部１１１は、通信制御部１０２を介して携帯端末２１０からのＰＵＳＨ送信の開始通知を受信すると、携帯端末２１０に対して受信応答を示す「GET」を返信し、ＰＵＳＨ送信の開始通知を受信した旨を通知する（Ｓ１０２）。
【００４７】
携帯端末２１０のＰＵＳＨ処理部２７１は、ＤＭＲ１００Ａから「GET」の応答を受信すると、ＤＭＲ１００Ａに対して「HTTP 200 OK」を送信し、コンテンツデータのデータ送信を開始する（Ｓ１０３）。以降、コンテンツデータの送信が完了するまで、ＰＵＳＨ処理部２７１はＤＭＲ１００Ａに対してデータ送信を継続する。
【００４８】
ＤＭＲ１００ＡのＤＭＲ処理部１１１は、通信制御部１０２を介して携帯端末２１０から送信されたコンテンツデータを受信すると、受信コンテンツ保持部１０３に受け渡す。受信コンテンツ保持部１０３は、受信したコンテンツデータを記憶部１０４に転送して記憶させ、コンテンツデータを保持する（Ｓ１０４）。また、受信コンテンツ保持部１０３は、データ受信通知を予約リスト制御部１０６に送信し、コンテンツデータが受信されたことを通知する（Ｓ１０５）。
【００４９】
ＤＭＲ１００Ａの予約リスト制御部１０６は、データ受信通知を受けると、予約リスト生成部１０７に対して予約リスト生成要求を送信し、予約リストの生成を指示する（Ｓ１０６）。予約リスト生成部１０７は、予約リスト生成要求を受けると、記憶部１０４に対して予約リスト情報要求を送信して受信コンテンツに関する予約リスト情報を取得する（Ｓ１０７）。予約リスト情報としては、受信コンテンツの保有ユーザ名（送信元の端末名、端末のユーザ情報など）、ＰＵＳＨされた時間、コンテンツ情報などが含まれる。コンテンツ情報には、送信元のＵＲＩ（Uniform Resource Identifier）、コンテンツのタイトル、撮影時間などが含まれる。コンテンツ情報として、コンテンツの総時間（動画の場合）、データ量などが含まれていてもよい。
【００５０】
ＤＭＲ１００Ａの予約リスト生成部１０７は、取得した予約リスト情報に基づき、コンテンツの一覧情報を随時更新してリアルタイムに示すリアルタイムリストを生成する（Ｓ１０８）。また、予約リスト生成部１０７は、予約リスト情報に基づき、コンテンツの撮影時間が一致するように再生時間を同期させた撮影時刻同期リストを生成する（Ｓ１０９）。なお、予約リストとして、リアルタイムリストと撮影時刻同期リストの一方のみを生成するようにしてもよい。予約リスト生成部１０７は、予約リストの生成が完了すると、予約リスト制御部１０６に完了通知を行う。
【００５１】
ＤＭＲ１００ＡのＤＭＲ処理部１１１は、携帯端末２１０からのＰＵＳＨ送信によるコンテンツデータの受信が完了すると、再生可能状態を示す「State:PLAYING」を状態変更通知として予約リスト制御部１０６に送信する（Ｓ１１０）。このとき、記憶部１０４に保持したコンテンツデータを読み出し、表示部１０５に出力してコンテンツの再生表示を行う。
【００５２】
ＤＭＲ１００Ａの予約リスト制御部１０６は、ＤＭＲ処理部１１１からの状態変更通知を受信すると、予約リスト送信部１０８に対して予約リスト送信要求を送信し、予約リストの送信を指示する（Ｓ１１１）。予約リスト送信部１０８は、予約リスト送信要求を受けると、「NOTIFY ReserveInfo」として、生成された予約リストをマルチキャストにて送信する（Ｓ１１２）。予約リストは、通信制御部１０２を介して複数の携帯端末２１０〜２４０に送信される。
【００５３】
携帯端末２１０の通信制御部２１２は、ＤＭＲ１００Ａから送信された予約リストを受信すると、予約リスト受信部２１４に予約リスト受信通知を送信する（Ｓ１１３）。予約リスト受信部２１４は、受信した予約リストを予約リスト表示部２１５に転送し、予約リスト表示部２１５は、表示部２１６に予約リストを出力して表示する（Ｓ１１４）。
【００５４】
図４は、本実施形態のコンテンツ再生システムにおける、予約リスト更新シーケンスの処理手順を示す図である。ここでは、上述した予約リストの生成処理の後で、予約リストを更新する場合の更新処理に関する具体的な手順の例を示す。図示例では、携帯端末（端末Ａ）２１０の後に携帯端末（端末Ｂ）２２０からＤＭＲ１００ＡにコンテンツをＰＵＳＨ送信する場合を示している。
【００５５】
携帯端末（端末Ｂ）２２０のＰＵＳＨ処理部２７１は、自端末からコンテンツデータをＰＵＳＨ送信する場合に、通信制御部２２２を介してＤＭＲ１００Ａに対して「SetAVTransportUri」を送信し、ＰＵＳＨ送信の開始を通知する（Ｓ１２１）。
【００５６】
ＤＭＲ１００ＡのＤＭＲ処理部１１１は、通信制御部１０２を介して携帯端末２２０からのＰＵＳＨ送信の開始通知を受信すると、携帯端末２２０に対して受信応答を示す「GET」を返信し、ＰＵＳＨ送信の開始通知を受信した旨を通知する（Ｓ１２２）。
【００５７】
携帯端末２２０のＰＵＳＨ処理部２７１は、ＤＭＲ１００Ａから「GET」の応答を受信すると、ＤＭＲ１００Ａに対して「HTTP 200 OK」を送信し、コンテンツデータのデータ送信を開始する（Ｓ１２３）。以降、コンテンツデータの送信が完了するまで、ＰＵＳＨ処理部２７１はＤＭＲ１００Ａに対してデータ送信を継続する。
【００５８】
ＤＭＲ１００ＡのＤＭＲ処理部１１１は、通信制御部１０２を介して携帯端末２２０から送信されたコンテンツデータを受信すると、受信コンテンツ保持部１０３に受け渡す。受信コンテンツ保持部１０３は、受信したコンテンツデータを記憶部１０４に転送して記憶させ、コンテンツデータを保持する（Ｓ１２４）。また、受信コンテンツ保持部１０３は、データ受信通知を予約リスト制御部１０６に送信し、コンテンツデータが受信されたことを通知する（Ｓ１２５）。
【００５９】
ＤＭＲ１００Ａの予約リスト制御部１０６は、データ受信通知を受けると、既に予約リストが生成されている場合、予約リスト生成部１０７に対して予約リスト更新要求を送信し、予約リストの更新を指示する（Ｓ１２６）。予約リスト生成部１０７は、予約リスト更新要求を受けると、記憶部１０４に対して予約リスト情報要求を送信して受信コンテンツに関する予約リスト情報を取得する（Ｓ１２７）。
【００６０】
ＤＭＲ１００Ａの予約リスト生成部１０７は、取得した予約リスト情報に基づき、コンテンツのリアルタイムリストを更新する（Ｓ１２８）。また、予約リスト生成部１０７は、予約リスト情報に基づき、コンテンツの撮影時刻同期リストを更新する（Ｓ１２９）。なお、予約リストとして、リアルタイムリストと撮影時刻同期リストの一方のみを生成、更新するようにしてもよい。予約リスト生成部１０７は、予約リストの更新が完了すると、予約リスト制御部１０６に完了通知を行う。
【００６１】
ＤＭＲ１００Ａの予約リスト制御部１０６は、予約リスト生成部１０７からの予約リスト更新の完了通知を受信すると、予約リスト送信部１０８に対して予約リスト送信要求を送信し、予約リストの送信を指示する（Ｓ１３１）。予約リスト送信部１０８は、予約リスト送信要求を受けると、「NOTIFY ReserveInfo」として、更新された予約リストをマルチキャストにて送信する（Ｓ１３２）。予約リストは、通信制御部１０２を介して複数の携帯端末２１０〜２４０に送信される。
【００６２】
携帯端末２２０の通信制御部２２２は、ＤＭＲ１００Ａから送信された予約リストを受信すると、予約リスト受信部２２４に予約リスト受信通知を送信する（Ｓ１３３）。予約リスト受信部２２４は、受信した予約リストを予約リスト表示部２２５に転送し、予約リスト表示部２２５は、表示部に予約リストを出力して表示する（Ｓ１３４）。
【００６３】
次に、予約リストの一例としてのリアルタイムリストについて説明する。図５は、予約リストのリアルタイムリストの具体例を示す図である。図示例では、携帯端末（端末Ａ）２１０から送信した動画（ａ）をＤＭＲ１００Ａにて再生しているときに、携帯端末（端末Ｂ）２２０から動画（ｂ）が、携帯端末（端末Ｃ）２３０から動画（ｃ）が、それぞれＤＭＲ１００ＡにＰＵＳＨ送信された場合を示している。
【００６４】
携帯端末（端末Ａ）２１０から動画（ａ）のコンテンツがＤＭＲ１００ＡにＰＵＳＨ送信され、ＤＭＲ１００Ａの表示部に再生表示されている。この状態で、携帯端末（端末Ｂ）２２０が動画（ｂ）のコンテンツを、携帯端末（端末Ｃ）２３０が動画（ｃ）のコンテンツを、それぞれＤＭＲ１００ＡにＰＵＳＨ送信する。ＤＭＲ１００Ａは、ＰＵＳＨ送信された各コンテンツのデータを、記憶部１０４に記憶し保持する。
【００６５】
ＤＭＲ１００Ａの予約リスト生成部１０７は、コンテンツが受信されると直ちに、リアルタイムリスト生成部１２１により、受信したコンテンツの予約リスト情報を取得し、コンテンツの一覧情報を随時更新してリアルタイムに示すリアルタイムリスト１５０Ａを生成する。そして、ＤＭＲ１００Ａの予約リスト送信部１０８は、生成したリアルタイムリスト１５０Ａを、携帯端末２１０〜２４０に送信する。各携帯端末２１０〜２４０では、表示部に予約リストとしてリアルタイムリスト１５０Ａを表示する。これにより、ＤＭＲ１００ＡにコンテンツがＰＵＳＨ送信されると、即座にリアルタイムリスト１５０Ａが生成または更新され、各携帯端末２１０〜２４０においてリアルタイムでＰＵＳＨ送信されたコンテンツを把握できる。
【００６６】
リアルタイムリスト１５０Ａには、受信コンテンツの保有ユーザ名として、送信元の端末名（例：端末Ａ）または端末のユーザ情報（例：ユーザＡ）などが列状に表示される。図示例では、ＤＭＲ１００Ａに接続されている携帯端末２１０〜２４０の端末名（ユーザ名）Ａ、Ｂ、Ｃ、Ｄが画面左側部に縦列に表示されている。また、リアルタイムリスト１５０Ａには、それぞれの保有ユーザ名に対応して、ＰＵＳＨ送信されたコンテンツ情報１５２、１５３が表示される。図示例では、コンテンツのタイトル、撮影時間、撮影日が表示されている。
【００６７】
なお、リアルタイムリスト１５０Ａに表示するコンテンツ情報は、リアルタイム性を持たせるために、以下のようにしてもよい。
（１）リストに表示されたコンテンツ情報の表示期間を設ける。
表示期間は、例えば、１０秒固定などの固定値、あるいは、ユーザが設定可能としてもよい。
（２）リスト表示された後、次のコンテンツ情報が更新されたタイミングで更新する。
このとき、新しいコンテンツ情報が表示されたことがわかるように、リストのコンテンツ表示部分の色を変えるなどしてもよい。例えば、図５において、動画（ｂ）→動画（ｃ）の順にコンテンツがＰＵＳＨ送信された場合、動画（ｃ）のコンテンツが新たに追加されたことが容易に識別できるように、端末Ｃからの動画（ｃ）の色を変えたり、色の濃度を濃くするなど、異なる態様にて表示する。また、この場合、時間が経過すると、色がだんだん薄くなってくるなどの表示を行うことにより、さらにリアルタイム性を容易に視認できるようにすることも可能である。
【００６８】
携帯端末の使用者が、リアルタイムリスト１５０Ａから任意のコンテンツを選択する操作をすると、対象のコンテンツを保持している携帯端末に対して、ＰＵＬＬ機能によって対象コンテンツを取得し、再生表示する処理が行われる。これにより、他の携帯端末がＰＵＳＨ送信したコンテンツを、即座に自端末において選択して取得し、再生することができる。また、「全て再生」の操作ボタン１５６を操作することにより、リスト上に表示されている全てのコンテンツを順に連続再生することも可能である。
【００６９】
携帯端末の使用者は、各携帯端末にて撮影したコンテンツを自端末で再生して視聴できるので、ＤＭＲ１００Ａに再生表示されているコンテンツとともに、任意の他のコンテンツを視聴することができる。このため、簡単に複数のコンテンツを共有したり、同時に視聴することが可能となる。
【００７０】
次に、予約リストの他の例としての撮影時刻同期リストについて説明する。図６は、予約リストの撮影時刻同期リストの具体例を示す図である。図示例では、携帯端末（端末Ａ）２１０から送信した動画（ａ）をＤＭＲ１００Ａにて再生しているときに、携帯端末（端末Ｂ）２２０から動画（ｂ）が、携帯端末（端末Ｃ）２３０から動画（ｃ）が、それぞれＤＭＲ１００ＡにＰＵＳＨ送信された場合を示している。
【００７１】
携帯端末（端末Ａ）２１０から動画（ａ）のコンテンツがＤＭＲ１００ＡにＰＵＳＨ送信され、ＤＭＲ１００Ａの表示部に再生表示されている。この状態で、携帯端末（端末Ｂ）２２０が動画（ｂ）のコンテンツを、携帯端末（端末Ｃ）２３０が動画（ｃ）のコンテンツを、それぞれＤＭＲ１００ＡにＰＵＳＨ送信する。ＤＭＲ１００Ａは、ＰＵＳＨ送信された各コンテンツのデータを、記憶部１０４に記憶し保持する。
【００７２】
ＤＭＲ１００Ａの予約リスト生成部１０７は、コンテンツが受信されると、撮影時刻同期リスト生成部１２２により、受信したコンテンツの予約リスト情報を取得し、コンテンツの撮影時間が一致するように再生時間を同期させた撮影時刻同期リスト１５０Ｂを生成する。そして、ＤＭＲ１００Ａの予約リスト送信部１０８は、生成した撮影時刻同期リスト１５０Ｂを、携帯端末２１０〜２４０に送信する。各携帯端末２１０〜２４０では、表示部に予約リストとして撮影時刻同期リスト１５０Ｂを表示する。これにより、ＤＭＲ１００ＡにコンテンツがＰＵＳＨ送信されると、撮影時刻同期リスト１５０Ｂが生成または更新され、各携帯端末２１０〜２４０においてＰＵＳＨ送信された各コンテンツの撮影時間の同期がとられてタイムスケール上に表示されたリストを把握できる。
【００７３】
撮影時刻同期リスト１５０Ｂには、受信コンテンツの保有ユーザ名として、送信元の端末名または端末のユーザ情報などが列状に表示される。図示例では、ＤＭＲ１００Ａに接続されている携帯端末２１０〜２４０の端末名（ユーザ名）Ａ、Ｂ、Ｃ、Ｄが画面左側部に縦列に表示されている。また、撮影時刻同期リスト１５０Ｂには、それぞれの保有ユーザ名に対応して、ＰＵＳＨ送信されたコンテンツ情報１６２、１６３が表示される。撮影時刻同期リスト１５０Ｂでは、画面横方向に一つの共通のタイムスケール１６６が表示され、タイムスケール１６６に合わせてコンテンツの撮影時間が一致するように再生時間を同期させた状態で、各コンテンツ情報１６２、１６３が時系列に表示される。コンテンツ情報１６２、１６３は、動画のシーンごとの情報などを表示してもよい。
【００７４】
携帯端末の使用者が、撮影時刻同期リスト１５０Ｂから任意のコンテンツを選択し、再生操作ボタン１６７を操作すると、対象のコンテンツを保持している携帯端末に対して、ＰＵＬＬ機能によって対象コンテンツを取得し、再生時刻を同期させた状態で再生表示する処理が行われる。これにより、他の携帯端末がＰＵＳＨ送信したコンテンツを、自端末において選択して取得し、同じ時刻に撮影された複数のコンテンツを同期させて再生することができる。
【００７５】
携帯端末の使用者は、各携帯端末にて撮影したコンテンツを自端末で再生する際、ＤＭＲ１００Ａまたは他の端末にて再生中のコンテンツと同じ時刻に撮影されたコンテンツを同期させて再生し、視聴できる。したがって、同じ時刻に撮影された複数のコンテンツを同時に視聴することができる。例えば、ＤＭＲ１００Ａに再生表示されているコンテンツと同じ時刻に撮影されたコンテンツを、携帯端末において同時に再生し、両コンテンツを視聴することができる。
【００７６】
本実施形態のコンテンツ再生システムは、例えば、同じイベントを複数の使用者が各自保持している携帯端末にて撮影したコンテンツを、各携帯端末からＤＭＲに送信して、視聴する場合などに適用可能である。この場合、各使用者の視点から撮影したコンテンツを、複数の使用者の携帯端末において、容易に確認、再生し、共有することができる。
【００７７】
本実施形態によれば、複数の携帯端末とＤＭＲを有するコンテンツ再生システムにおいて、簡単な操作及び処理によって、複数の携帯端末にてそれぞれ保持しているコンテンツから任意のコンテンツを選択再生することができる。これにより、例えば、ＤＭＲに現在再生表示されているコンテンツだけでなく、他の携帯端末からＤＭＲに送信されたコンテンツのリストを各携帯端末にて確認し、リストの中から任意にコンテンツを選択し、そのコンテンツを再生し視聴できる。
【００７８】
したがって、コンテンツ再生システムに接続された携帯端末の使用者は、各携帯端末が保持しているコンテンツを、容易に共有、再生することができる。また、ＤＭＲにて再生されているコンテンツを視聴しながら、別のコンテンツを自身の携帯端末にて容易に視聴することができる。リアルタイムリストを用いる場合、ＤＭＲが受信したコンテンツを、即座に各携帯端末にて確認し、再生することができる。また、撮影時刻同期リストを用いる場合、同じ時刻に撮影された複数のコンテンツをＤＭＲと携帯端末にて同期させて再生し、異なる位置で撮影されたコンテンツを同時に視聴できる。
【００７９】
（第２の実施形態）
図７は、第２の実施形態に係るコンテンツ再生システムの動作の概略を示す図である。第２の実施形態は、コンテンツ再生システムに接続される携帯端末の追加、すなわちコンテンツ再生システムを利用するメンバーの追加を行う例を示す。
【００８０】
ＤＭＲ１００Ｂに対して、複数の携帯端末２１０〜２４０が無線ネットワークを介して接続され、各携帯端末２１０〜２４０からＤＭＲ１００ＢにコンテンツをＰＵＳＨ機能にて転送している。ＤＭＲ１００Ｂにおいて、携帯端末（端末Ａ）２１０からの動画（ａ）のコンテンツを再生表示中に、新たな携帯端末（端末Ｅ）２５０が無線ネットワークを介してＤＭＲ１００Ｂと接続され、新規メンバー（ユーザＥ）がコンテンツ再生システムを利用可能となる場合を想定する。
【００８１】
ＤＭＲ１００Ｂは、新たな携帯端末（端末Ｅ）２５０が接続されると、予約リスト１５０を携帯端末２５０に対して送信する。この際、コンテンツの更新とは別に、ユーザＥを追加した予約リストを作成して、各携帯端末２１０〜２５０に更新した予約リスト１５０をそれぞれ送信してもよい。あるいは、コンテンツの更新が無い場合は、既に作成してある予約リスト１５０を新規メンバーの携帯端末２５０に別途追加送信してもよい。
【００８２】
携帯端末（端末Ｅ）２５０を含む各携帯端末２１０〜２５０では、表示部に予約リスト１５０を表示し、使用者が予約リスト１５０の中から所望のコンテンツを選択可能にする。これにより、追加接続された新規メンバーの携帯端末２５０においても、ＤＭＲ１００Ｂにて再生されているコンテンツとは異なる他のコンテンツを、容易に他の携帯端末から取得して再生し視聴することが可能になる。
【００８３】
図８は、第２の実施形態に係るコンテンツ再生システムの構成を示すブロック図である。ＤＭＲ１００Ｂと携帯端末２１０〜２５０とは、ネットワーク３００を介して接続され、コンテンツデータ、予約リストなどの送受信を行う。図示例では、携帯端末（端末Ａ）２１０とともに、追加接続された携帯端末（端末Ｅ）２５０を示している。ここでは、上述した第１の実施形態と異なる点を中心に説明し、第１の実施形態と同様の構成、動作については説明を省略する。
【００８４】
ＤＭＲ１００Ｂは、ＤＬＮＡ処理部１０１、通信制御部１０２、受信コンテンツ保持部１０３、記憶部１０４、表示部１０５、予約リスト制御部１０６、予約リスト生成部１０７、予約リスト送信部１０８、携帯端末追加検知部１３１、携帯端末離脱検知部１３２を有する。すなわち、ＤＭＲ１００Ｂは、図２に示した第１の実施形態のＤＭＲ１００Ａの構成に加えて、携帯端末追加検知部１３１、携帯端末離脱検知部１３２を備え、一部の動作が異なるものである。携帯端末追加検知部１３１、携帯端末離脱検知部１３２は、ＣＰＵ等のプロセッサ及びメモリを有する情報処理部（コンピュータ）により構成され、所定のソフトウェアプログラムを実行することにより、各機能を実現する。
【００８５】
携帯端末追加検知部１３１は、通信制御部１０２からの携帯端末接続通知に基づき、コンテンツ再生システムへの携帯端末の追加を検知し、携帯端末追加検知通知を予約リスト制御部１０６に対して送信する。
【００８６】
携帯端末離脱検知部１３２は、通信制御部１０２からの携帯端末接続解除通知に基づき、コンテンツ再生システムからの携帯端末の離脱を検知し、携帯端末離脱検知通知を予約リスト制御部１０６に対して送信する。
【００８７】
予約リスト制御部１０６は、携帯端末追加検知部１３１からの携帯端末追加検知通知、または携帯端末離脱検知部１３２からの携帯端末離脱検知通知を受けると、予約リスト生成部１０７に対して予約リスト更新要求を送信し、予約リストの更新を指示する。予約リスト生成部１０７は、予約リスト更新要求に従って、予約リストを更新する。予約リスト送信部１０８は、更新された予約リストを携帯端末２１０〜２５０に送信する。
【００８８】
携帯端末（端末Ｅ）２５０は、ＤＬＮＡ処理部２５１、通信制御部２５２、記憶部２５３、予約リスト受信部２５４、予約リスト表示部２５５、表示部２５６、コンテンツ再生処理部２５７を有する。すなわち、携帯端末２５０は、図２に示した携帯端末２１０と同様に、コンテンツデータのＰＵＳＨ送信、予約リストの受信、コンテンツデータのＰＵＬＬ受信を実行する機能を有している。
【００８９】
携帯端末（端末Ａ）２１０は、ＤＬＮＡ処理部２１１において、サーバ処理部２７３を有する。すなわち、携帯端末２１０は、図２に示した携帯端末２３０と同様に、サーバ機能の一つとして、ＰＵＬＬ受信の要求に対するコンテンツデータの配信を実行する機能を有している。
【００９０】
図９は、本実施形態のコンテンツ再生システムにおける、端末追加時のシーケンスの処理手順を示す図である。ここでは、コンテンツ再生システムに携帯端末（端末Ｅ）２５０が追加接続され、コンテンツ再生システムのネットワークに新規に参加する場合の具体的な手順の例を示す。
【００９１】
携帯端末（端末Ｅ）２５０のＤＬＮＡ処理部２５１は、コンテンツ再生システムのネットワーク３００に接続する場合に、通信制御部２５２を介してＤＭＲ１００Ｂに対して「Notify ssdp:alive」を送信し、ネットワークへの参加を通知する（Ｓ２０１）。
【００９２】
ＤＭＲ１００ＢのＤＬＮＡ処理部１０１は、通信制御部１０２を介して携帯端末２５０よりネットワークへの参加通知を受信すると、携帯端末２５０に対して受信応答を示す「HTTP 200 OK」を返信し、ネットワークへの参加通知を受信した旨を通知する（Ｓ２０２）。
【００９３】
ＤＭＲ１００Ｂの携帯端末追加検知部１３１は、通信制御部１０２から携帯端末接続通知を受けることにより（Ｓ２０３）、携帯端末が新たに追加接続されたことを検知し、携帯端末追加検知通知を予約リスト制御部１０６に送信し、携帯端末が追加されたことを通知する（Ｓ２０４）。
【００９４】
ＤＭＲ１００Ｂの予約リスト制御部１０６は、携帯端末追加検知通知を受けると、予約リスト生成部１０７に対して予約リスト更新要求を送信し、予約リストの更新を指示する（Ｓ２０５）。予約リスト生成部１０７は、予約リスト更新要求を受けると、記憶部１０４に対して予約リスト情報要求を送信して受信コンテンツに関する予約リスト情報を取得する（Ｓ２０６）。
【００９５】
ＤＭＲ１００Ｂの予約リスト生成部１０７は、取得した予約リスト情報に基づき、コンテンツのリアルタイムリストを更新する（Ｓ２０７）。また、予約リスト生成部１０７は、予約リスト情報に基づき、コンテンツの撮影時刻同期リストを更新する（Ｓ２０８）。なお、予約リストとして、リアルタイムリストと撮影時刻同期リストの一方のみを生成、更新するようにしてもよい。なお、受信コンテンツに変化が無い場合は、予約リストを更新しなくてもよい。あるいは、予約リストにおける端末名または端末のユーザ情報のみを更新し、追加された携帯端末を追加してもよい。予約リスト生成部１０７は、予約リストの更新が完了すると、予約リスト制御部１０６に完了通知を行う。
【００９６】
ＤＭＲ１００Ｂの予約リスト制御部１０６は、予約リスト生成部１０７からの予約リスト更新の完了通知を受信すると、予約リスト送信部１０８に対して予約リスト送信要求を送信し、予約リストの送信を指示する（Ｓ２０９）。予約リスト送信部１０８は、予約リスト送信要求を受けると、「NOTIFY ReserveInfo」として、更新された予約リストをマルチキャストにて送信する（Ｓ２１０）。予約リストは、通信制御部１０２を介して複数の携帯端末２１０〜２５０に送信される。なお、新たにネットワークに追加された携帯端末２５０のみに予約リストを送信するようにしてもよい。
【００９７】
携帯端末２５０の通信制御部２５２は、ＤＭＲ１００Ｂから送信された予約リストを受信すると、予約リスト受信部２５４に予約リスト受信通知を送信する（Ｓ２１１）。予約リスト受信部２５４は、受信した予約リストを予約リスト表示部２５５に転送し、予約リスト表示部２５５は、表示部２５６に予約リストを出力して表示する（Ｓ２１２）。
【００９８】
図１０は、本実施形態のコンテンツ再生システムにおける、端末離脱時のシーケンスの処理手順を示す図である。ここでは、コンテンツ再生システムにおいて携帯端末（端末Ｅ）２５０の接続が解除され、コンテンツ再生システムのネットワークから離脱する場合の具体的な手順の例を示す。
【００９９】
携帯端末（端末Ｅ）２５０のＤＬＮＡ処理部２５１は、コンテンツ再生システムのネットワーク３００への接続を解除する場合に、通信制御部２５２を介してＤＭＲ１００Ｂに対して「Notify ssdp:byebye」を送信し、ネットワークからの離脱を通知する（Ｓ２２１）。
【０１００】
ＤＭＲ１００ＢのＤＬＮＡ処理部１０１は、通信制御部１０２を介して携帯端末２５０よりネットワークからの離脱通知を受信すると、携帯端末２５０に対して受信応答を示す「HTTP 200 OK」を返信し、ネットワークからの離脱通知を受信した旨を通知する（Ｓ２２２）。
【０１０１】
ＤＭＲ１００Ｂの携帯端末離脱検知部１３２は、通信制御部１０２から携帯端末接続解除通知を受けることにより（Ｓ２２３）、携帯端末がネットワークから離脱されたことを検知し、携帯端末離脱検知通知を予約リスト制御部１０６に送信し、携帯端末が離脱されたことを通知する（Ｓ２２４）。
【０１０２】
ＤＭＲ１００Ｂの予約リスト制御部１０６は、携帯端末離脱検知通知を受けると、予約リスト生成部１０７に対して予約リスト更新要求を送信し、予約リストの更新を指示する（Ｓ２２５）。予約リスト生成部１０７は、予約リスト更新要求を受けると、記憶部１０４に対して予約リスト情報要求を送信して受信コンテンツに関する予約リスト情報を取得する（Ｓ２０６）。
【０１０３】
ＤＭＲ１００Ｂの予約リスト生成部１０７は、取得した予約リスト情報に基づき、コンテンツのリアルタイムリストを更新する（Ｓ２２７）。また、予約リスト生成部１０７は、予約リスト情報に基づき、コンテンツの撮影時刻同期リストを更新する（Ｓ２２８）。なお、予約リストとして、リアルタイムリストと撮影時刻同期リストの一方のみを生成、更新するようにしてもよい。なお、受信コンテンツに変化が無い場合は、予約リストを更新しなくてもよい。あるいは、予約リストにおける端末名または端末のユーザ情報のみを更新し、離脱された携帯端末を削除してもよい。予約リスト生成部１０７は、予約リストの更新が完了すると、予約リスト制御部１０６に完了通知を行う。
【０１０４】
ＤＭＲ１００Ｂの予約リスト制御部１０６は、予約リスト生成部１０７からの予約リスト更新の完了通知を受信すると、予約リスト送信部１０８に対して予約リスト送信要求を送信し、予約リストの送信を指示する（Ｓ２２９）。予約リスト送信部１０８は、予約リスト送信要求を受けると、「NOTIFY ReserveInfo」として、更新された予約リストをマルチキャストにて送信する（Ｓ２３０）。予約リストは、通信制御部１０２を介して複数の携帯端末２１０〜２４０に送信される。
【０１０５】
なお、ＤＭＲ１００Ｂは、携帯端末が離脱した場合に、離脱したメンバーの携帯端末が送信したコンテンツを保持しておいてもよいし、離脱に伴って該当するメンバーのコンテンツを削除するようにしてもよい。ＤＭＲ１００Ｂにて離脱したメンバーのコンテンツを保持する場合、ＤＭＲ１００Ｂはサーバ機能を持つようにし、携帯端末はＤＭＲ１００ＢからＰＵＬＬ受信してコンテンツを再生する。また、携帯端末の離脱時に更新した予約リストは、他の通信可能な全ての携帯端末にマルチキャスト送信してもよいし、少なくとも一つの通信可能な携帯端末に対して送信してもよい。
【０１０６】
このような携帯端末から送信されたコンテンツの保持及び再生動作は、ユーザの指示等によって任意に設定可能である。例えば、離脱時点で参加していたメンバーの携帯端末にはコンテンツの再生を許可し、離脱以降に参加したメンバーの携帯端末には再生を許可しないなどの設定が可能である。この場合、コンテンツの再生可否の違いによって、異なる予約リストを生成し、それぞれ該当する携帯端末に送信する。あるいは、離脱時点で残っているメンバーの携帯端末にはコンテンツの再生を許可しない設定としてもよい。この場合、ＤＭＲ１００Ｂにコンテンツを保持せず、離脱した携帯端末からのコンテンツを削除する。
【０１０７】
携帯端末（端末Ａ）２１０の通信制御部２１２は、ＤＭＲ１００Ｂから送信された予約リストを受信すると、予約リスト受信部２１４に予約リスト受信通知を送信する（Ｓ２３１）。予約リスト受信部２１４は、受信した予約リストを予約リスト表示部２１５に転送し、予約リスト表示部２１５は、表示部２１６に予約リストを出力して表示する（Ｓ２３２）。
【０１０８】
本実施形態によれば、コンテンツ再生システムにおいて、携帯端末が新たに追加接続された場合、新しいメンバーの携帯端末に対してコンテンツのリストを送信することにより、新規追加の携帯端末において任意にコンテンツを選択し、再生して視聴できる。また、携帯端末が離脱した場合、更新したリストを他の携帯端末に対して送信することにより、残りのメンバーの携帯端末において最新のリストを確認できる。
【０１０９】
（第３の実施形態）
図１１は、第３の実施形態に係るコンテンツ再生システムの動作の概略を示す図である。第３の実施形態は、ＤＭＲにおける再生コンテンツを切り替える例を示す。ここでは、一例として、コンテンツ再生システムに接続されている過半数の携帯端末において、同一の特定のコンテンツが再生されている場合、該当する過半数再生のコンテンツにＤＭＲの再生コンテンツを切り替えるものとする。
【０１１０】
ＤＭＲ１００Ｃに対して、複数の携帯端末２１０〜２５０が無線ネットワークを介して接続され、各携帯端末２１０〜２５０からＤＭＲ１００ＣにコンテンツをＰＵＳＨ機能にて転送している。ＤＭＲ１００Ｃにおいて、携帯端末（端末Ｂ）２２０からの動画（ｂ）のコンテンツを再生表示中に、過半数の携帯端末２１０、２２０、２５０において携帯端末（端末Ｄ）２４０からの動画（ｄ）が再生されている場合を想定する。
【０１１１】
ＤＭＲ１００Ｃは、各携帯端末２１０〜２５０におけるコンテンツの再生状態を取得し、どの携帯端末が何のコンテンツを再生しているかを認識する。携帯端末２１０〜２５０において、特定のコンテンツの再生端末数が過半数となった場合、ＤＭＲ１００Ｃは、表示部の表示画面に「もうすぐ（ｄ）に切り替えます」等の表示を行い、再生表示するコンテンツを動画（ｂ）から動画（ｄ）に切り替える。これにより、過半数の携帯端末の使用者が視聴しているコンテンツをＤＭＲ１００Ｃに再生表示し、皆で共有することが可能となる。
【０１１２】
図１２は、第３の実施形態に係るコンテンツ再生システムの構成を示すブロック図である。ＤＭＲ１００Ｃと携帯端末２１０〜２５０とは、ネットワーク３００を介して接続され、コンテンツデータ、予約リストなどの送受信を行う。図示例では、携帯端末（端末Ｂ）２２０と携帯端末（端末Ｅ）２５０を示している。ここでは、上述した第１及び第２のの実施形態と異なる点を中心に説明し、第１及び第２の実施形態と同様の構成、動作については説明を省略する。
【０１１３】
ＤＭＲ１００Ｃは、ＤＬＮＡ処理部１０１、通信制御部１０２、受信コンテンツ保持部１０３、記憶部１０４、表示部１０５、予約リスト制御部１０６、予約リスト生成部１０７、予約リスト送信部１０８、過半数再生検知部１４１、再生切替管理部１４２を有する。すなわち、ＤＭＲ１００Ｃは、図２に示した第１の実施形態のＤＭＲ１００Ａの構成に加えて、過半数再生検知部１４１、再生切替管理部１４２を備え、一部の動作が異なるものである。過半数再生検知部１４１、再生切替管理部１４２は、ＣＰＵ等のプロセッサ及びメモリを有する情報処理部（コンピュータ）により構成され、所定のソフトウェアプログラムを実行することにより、各機能を実現する。ここで、ＤＬＮＡ処理部１０１、過半数再生検知部１４１、再生切替管理部１４２、及び表示部１０５が、受信したコンテンツの再生、再生コンテンツ切替を行うコンテンツ再生部の機能を実現する。
【０１１４】
過半数再生検知部１４１は、通信制御部１０２を介して携帯端末２１０〜２５０からの再生コンテンツ情報に基づき、過半数の携帯端末において特定のコンテンツが再生されていることを検知する。過半数再生検知部１４１は、過半数再生の状態を検知すると、再生切替管理部１４２に対して再生切替要求を送信する。
【０１１５】
再生切替管理部１４２は、過半数再生検知部１４１からの再生切替要求を受けると、表示部１０５及び記憶部１０４に対してコンテンツの再生切替の指示を送信し、過半数再生のコンテンツをＤＭＲ１００Ｃにて再生表示するよう、再生コンテンツを切り替える。
【０１１６】
携帯端末（端末Ｅ）２５０は、ＤＬＮＡ処理部２５１、通信制御部２５２、記憶部２５３、予約リスト受信部２５４、予約リスト表示部２５５、表示部２５６、コンテンツ再生処理部２５７、再生情報通知部２７５を有する。すなわち、携帯端末２５０は、図８に示した第２の実施形態の携帯端末２５０において、さらに再生情報通知部２７５を備え、自端末にて再生しているコンテンツに関する再生情報をＤＭＲ１００Ｃに通知する機能を有している。
【０１１７】
再生情報通知部２７５は、ＤＬＮＡ処理部２５１のＰＵＬＬ処理部２７２によるコンテンツの再生状態を取得し、自端末にて現在再生しているコンテンツに関する情報を再生情報として通信制御部２５２を介してＤＭＲ１００Ｃに送信する。
【０１１８】
携帯端末（端末Ｂ）２２０は、ＤＬＮＡ処理部２２１において、サーバ処理部２７３を有する。すなわち、携帯端末２２０は、図２に示した携帯端末２３０と同様に、サーバ機能の一つとして、ＰＵＬＬ受信の要求に対するコンテンツデータの配信を実行する機能を有している。
【０１１９】
図１３は、本実施形態のコンテンツ再生システムにおける、過半数再生コンテンツ切替シーケンスの処理手順を示す図である。ここでは、過半数の携帯端末において動画（ｄ）が再生され、ＤＭＲ１００Ｃにおいて再生コンテンツを動画（ｂ）から動画（ｄ）に切り替える場合の具体的な手順の例を示す。
【０１２０】
ＤＭＲ１００Ｃは、表示部１０５において動画（ｂ）のコンテンツを再生表示中になっている（Ｓ３０１）。このとき、過半数再生検知部１４１は、携帯端末（端末Ａ）２１０及び携帯端末（端末Ｂ）２２０が動画（ｄ）を再生中であることを、各携帯端末から取得した再生情報から認識している（Ｓ３０２）。
【０１２１】
携帯端末（端末Ｅ）２５０は、表示部２５６において動画（ｄ）のコンテンツを再生表示中になっている（Ｓ３０３）。携帯端末２５０の再生情報通知部２７５は、ＤＬＮＡ処理部２５１のＰＵＬＬ処理部２７２よりコンテンツの再生状態を取得する（Ｓ３０４）。そして、再生情報通知部２７５は、再生中コンテンツ（ｄ）を示す「再生情報：ｄ」を、通信制御部２５２を介してＤＭＲ１００Ｃに対して送信し、再生中のコンテンツ情報を通知する（Ｓ３０５）。
【０１２２】
ＤＭＲ１００Ｃの過半数再生検知部１４１は、通信制御部１０２を介して携帯端末２５０からの再生情報を受信する。この場合、過半数再生検知部１４１は、コンテンツ再生システムに接続されている５つのうちの３つの携帯端末が動画（ｄ）を再生中であり、過半数の携帯端末において動画（ｄ）が再生されていることを検知する（Ｓ３０６）。そして、過半数再生検知部１４１は、コンテンツの過半数再生を検知すると、再生切替管理部１４２に対して再生切替要求を送信する（Ｓ３０７）。
【０１２３】
再生切替管理部１４２は、過半数再生検知部１４１からの再生切替要求を受けると、表示部１０５に対して切替通知表示要求を送信する（Ｓ３０８）。表示部１０５は、再生切替管理部１４２からの切替通知表示要求を受けると、表示画面に「もうすぐ（ｄ）に切り替えます」等のコンテンツ切替通知を表示する（Ｓ３０９）。そして、再生切替管理部１４２は、表示部１０５に対して再生切替の指示を送信し（Ｓ３１０）、表示部１０５は、再生中の動画（ｂ）のコンテンツの再生表示を終了し、携帯端末にて過半数再生されているコンテンツへの再生切替処理を開始する（Ｓ３１１）。この際、表示画面には「再生切替中」などの表示を行ってもよい。
【０１２４】
再生切替処理において、ＤＭＲ１００Ｃの再生切替管理部１４２は、現在過半数再生されている動画（ｄ）を再生している携帯端末２１０、２２０、２５０に対して、通信制御部１０２を介して再生切替要求を送信する（Ｓ３１２）。この再生切替要求は、ＤＭＲ１００Ｃにおける再生表示を動画（ｄ）に切り替えるのに伴い、携帯端末において、再生表示を動画（ｄ）からＤＭＲ１００Ｃにて再生中の動画（ｂ）に切り替えるためである。
【０１２５】
また、再生切替管理部１４２は、記憶部１０４に記憶されている動画（ｄ）のコンテンツデータを取得し（Ｓ３１３）、表示部１０５に再生出力する（Ｓ３１４）。表示部１０５は、動画（ｄ）のコンテンツを再生表示する（Ｓ３１５）。これにより、ＤＭＲ１００Ｃでは動画（ｄ）が再生中となる。
【０１２６】
一方、携帯端末（端末Ｅ）２５０のＰＵＬＬ処理部２７２は、通信制御部２５２を介してＤＭＲ１００Ｃからの再生切替要求を受けると、表示部２５６に対して再生切替の指示を送信する（Ｓ３１７）。表示部２５６は、再生中の動画（ｄ）のコンテンツの再生表示を終了し、ＤＭＲ１００Ｃにて再生されていたコンテンツへの再生切替処理を開始する（Ｓ３１７）。この際、表示画面には「再生切替中」などの表示を行ってもよい。
【０１２７】
再生切替処理において、携帯端末２５０のＰＵＬＬ処理部２７２は、通信制御部２５２を介して、動画（ｂ）のコンテンツデータを保持している携帯端末（端末Ｂ）２２０に対して、コンテンツデータの取得要求を示す「GET：ｂ」を送信し、動画（ｂ）のＰＵＬＬ受信を開始する（Ｓ３１８）。携帯端末２２０のサーバ処理部２７３は、通信制御部２２２を介して、携帯端末２５０からのコンテンツデータの取得要求を受けると、動画（ｂ）のコンテンツデータを携帯端末２５０に対して配信する（Ｓ３１９）。
【０１２８】
携帯端末（端末Ｅ）２５０のＰＵＬＬ処理部２７２は、携帯端末２２０から配信された動画（ｂ）のコンテンツデータを受信（ＰＵＬＬ受信）すると、表示部２５６に再生出力する（Ｓ３２０）。表示部２５６は、動画（ｂ）のコンテンツを再生表示する（Ｓ３２１）。これにより、携帯端末（端末Ｅ）２５０では動画（ｂ）が再生中となる。
【０１２９】
以上のようにして、コンテンツ再生システムに接続されている複数の携帯端末において、過半数の携帯端末にて同一の特定のコンテンツが再生されている場合、ＤＭＲにおいて再生するコンテンツを、この過半数再生のコンテンツに切り替えることができる。また、上記過半数の携帯端末では、ＤＭＲにて再生していたコンテンツに再生表示を切り替えて、視聴することができる。これにより、多数の携帯端末において再生されているコンテンツをＤＭＲに再生表示し、コンテンツ再生システムを利用するメンバー全員で共有できる。
【０１３０】
本実施形態によれば、コンテンツ再生システムにおいて、過半数などの所定数以上の携帯端末において特定のコンテンツが再生されている場合、この多数端末にて再生中のコンテンツをＤＭＲにて再生し、皆で視聴できる。
【０１３１】
なお、再生コンテンツの切り替えを行う際に、表示部に確認用のダイアログ表示を行い、使用者に確認を求めて許可を得てから再生表示を切り替えるようにしてもよい。また、コンテンツの再生切替において、条件を追加してもよい。例えば、端末Ａ→端末Ｂ→端末Ｃの順に同じコンテンツを再生する状況において、端末Ａにて再生開始してから所定時間（例えば１０秒）以内に同一コンテンツの再生端末数が過半数になった場合のみ、ＤＭＲの再生コンテンツを切り替えることも可能である。
【０１３２】
あるいは、コンテンツの再生切替条件として、特定コンテンツの再生端末数を過半数に限定せず、所定数以上となった場合にＤＭＲの再生コンテンツを切り替えるようにしてもよい。
【０１３３】
なお、上述した実施形態では、各携帯端末が予約リストから選択したコンテンツを再生する場合、ＰＵＬＬ機能により行うとしたが、携帯端末にＤＭＲ機能を搭載し、ＤＭＲ機能を利用した再生も可能である。この場合、対象コンテンツを保持している携帯端末に対して再生コンテンツの選択結果を通知し、相手の携帯端末からＰＵＳＨ送信させて自端末にて再生する。
【０１３４】
また、ＤＭＲにて再生表示するコンテンツは、１つに限らず、ＤＭＲの表示制御機能を利用し、後からＰＵＳＨ送信されてきたコンテンツを、表示画面の一部に表示する多画面表示も可能である。この場合、ＤＭＲにおいても、多画面表示された複数のコンテンツの中から、所望のコンテンツを選択して再生表示することが可能である。
【０１３５】
また、ネットワーク内に複数のＤＭＲが存在する場合にも本実施形態を適用可能である。この場合、携帯端末は、複数のＤＭＲの各々から予約リストを受信することができ、再生表示するＤＭＲをユーザ操作によって切り替えて、本コンテンツ再生システムを利用することができる。
【０１３６】
また、コンテンツ再生システムを構築するネットワークは、店舗、レストラン、ホテル、住宅等におけるＬＡＮなどの狭い範囲のネットワーク環境に限定されず、インターネット等の広域ネットワークを利用して外部からネットワーク接続し、遠隔地の端末からの操作を可能にしてもよい。この場合、遠隔地の端末では、２画面表示などを行い、ＤＭＲにて再生しているコンテンツと自端末で選択したコンテンツとを表示すればよい。
【０１３７】
本開示に係る実施形態の種々の態様として、以下のものが含まれる。
（１）コンテンツを保持する端末と、複数の前記端末から送信されたコンテンツを再生可能な再生装置とを有するコンテンツ再生システムであって、前記再生装置は、前記端末から受信したコンテンツの情報を含むコンテンツリストを生成するリスト生成部と、前記コンテンツリストを、通信可能な複数の端末に対して送信するリスト送信部と、を備え、前記端末は、前記再生装置から受信したコンテンツリストを表示するリスト表示部と、前記コンテンツリストから選択されたコンテンツを、該当するコンテンツを保持する端末または前記再生装置より取得し再生するコンテンツ取得部と、を備える、コンテンツ再生システム。
【０１３８】
（２）上記のコンテンツ再生システムであって、前記リスト生成部は、前記端末から送信されたコンテンツを受信した場合に、所定タイミングで前記コンテンツリストを生成する、コンテンツ再生システム。
【０１３９】
（３）上記のコンテンツ再生システムであって、前記リスト生成部は、前記端末から送信されたコンテンツを受信する度に、前記コンテンツリストを生成または更新する、コンテンツ再生システム。
【０１４０】
（４）上記のコンテンツ再生システムであって、前記リスト送信部は、通信可能な端末が新たに接続された場合に、前記新規接続された端末に対してコンテンツリストを送信する、コンテンツ再生システム。
【０１４１】
（５）上記のコンテンツ再生システムであって、再生装置と通信可能な端末が新たに接続された場合に、前記リスト生成部は、前記コンテンツリストを更新し、前記リスト送信部は、前記更新されたコンテンツリストを前記新規接続された端末に対して送信する、コンテンツ再生システム。
【０１４２】
（６）上記のコンテンツ再生システムであって、再生装置と通信可能な端末の接続が解除された場合に、前記リスト生成部は、前記コンテンツリストを更新し、前記リスト送信部は、前記更新されたコンテンツリストを他の通信可能な少なくとも一つの端末に対して送信する、コンテンツ再生システム。
【０１４３】
（７）上記のコンテンツ再生システムであって、前記再生装置は、前記端末から受信したコンテンツを再生するコンテンツ再生部を有し、前記コンテンツ再生部は、複数の前記端末において、所定数以上の端末にて特定のコンテンツが再生されている場合に、再生端末数が所定数以上である前記特定のコンテンツを再生する、コンテンツ再生システム。
【０１４４】
（８）上記のコンテンツ再生システムであって、前記コンテンツ再生部は、複数の前記端末において、過半数の端末にて特定のコンテンツが再生されている場合に、再生中のコンテンツを前記特定のコンテンツに切り替える、コンテンツ再生システム。
【０１４５】
（９）上記のコンテンツ再生システムであって、前記リスト生成部は、前記コンテンツリストとして、コンテンツの一覧情報を随時更新した状態としたリアルタイムリストを生成または更新する、コンテンツ再生システム。
【０１４６】
（１０）上記のコンテンツ再生システムであって、前記リスト生成部は、前記コンテンツリストとして、コンテンツの撮影時間が一致するように再生時間を同期させた撮影時刻同期リストを生成または更新する、コンテンツ再生システム。
【０１４７】
（１１）端末から送信されたコンテンツを再生可能な再生装置であって、前記端末から受信したコンテンツを再生するコンテンツ再生部と、前記端末から受信したコンテンツの情報を含むコンテンツリストを生成するリスト生成部と、前記コンテンツリストを、通信可能な複数の端末に対して送信し、送信先の端末においてコンテンツの選択を可能とするリスト送信部と、を備える再生装置。
【０１４８】
（１２）端末から送信されたコンテンツを再生可能な再生装置におけるコンテンツ再生方法であって、前記端末から受信したコンテンツを再生するステップと、前記端末から受信したコンテンツの情報を含むコンテンツリストを生成するステップと、前記コンテンツリストを、通信可能な複数の端末に対して送信し、送信先の端末においてコンテンツの選択を可能とするステップと、を有するコンテンツ再生方法。
【０１４９】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【産業上の利用可能性】
【０１５０】
本開示は、簡単な操作及び処理によって、複数の端末にてそれぞれ保持しているコンテンツから任意のコンテンツを選択再生することが可能となる効果を有し、複数の端末にてそれぞれ保持しているコンテンツから任意のコンテンツを選択再生するコンテンツ再生システム、再生装置、及びコンテンツ再生方法等として有用である。
【符号の説明】
【０１５１】
１００Ａ、１００Ｂ、１００Ｃ  ＤＭＲ
１５０  予約リスト
１５０Ａ  リアルタイムリスト
１５０Ｂ  撮影時刻同期リスト
１０１  ＤＬＮＡ処理部
１０２  通信制御部
１０３  受信コンテンツ保持部
１０４  記憶部
１０５  表示部
１０６  予約リスト制御部
１０７  予約リスト生成部
１０８  予約リスト送信部
１１１  ＤＭＲ処理部
１２１  リアルタイムリスト生成部
１２２  撮影時刻同期リスト生成部
１３１  携帯端末追加検知部
１３２  携帯端末離脱検知部
１４１  過半数再生検知部
１４２  再生切替管理部
２１０  携帯端末（端末Ａ）
２１１、２２１、２３１、２５１  ＤＬＮＡ処理部
２１２、２２２、２３２、２５２  通信制御部
２１３、２２３、２３３、２５３  記憶部
２１４、２５４  予約リスト受信部
２１５、２５５  予約リスト表示部
２１６、２５３  表示部
２１７、２５７  コンテンツ再生処理部
２２０  携帯端末（端末Ｂ）
２３０  携帯端末（端末Ｃ）
２４０  携帯端末（端末Ｄ）
２５０  携帯端末（端末Ｅ）
２７１  ＰＵＳＨ処理部
２７２  ＰＵＬＬ処理部
２７３  サーバ処理部
２７５  再生情報通知部
【図１】
2014014003.tif 000003
【図２】
2014014003.tif 000004
【図３】
2014014003.tif 000005
【図４】
2014014003.tif 000006
【図５】
2014014003.tif 000007
【図６】
2014014003.tif 000008
【図７】
2014014003.tif 000009
【図８】
2014014003.tif 000010
【図９】
2014014003.tif 000011
【図１０】
2014014003.tif 000012
【図１１】
2014014003.tif 000013
【図１２】
2014014003.tif 000014
【図１３】
2014014003.tif 000015